(57)【要約】【課題】  外壁材が有するリップ部を利用することで、外壁材に孔を開けずに取り付けることができ、かつ不測にリップ部を変形させずに外壁材を吊り上げることを可能にする外壁材吊上げ用治具を提供する。【解決手段】  この外壁材吊上げ用治具１は、治具本体２、吊索掛け部材３、および係合爪４を有する。治具本体２は、外壁材２０の上端面に上から被せられて接する。吊索掛け部材３は、治具本体２の上面に設けられ吊索が掛けられる。係合爪４は、外壁材２０のリップ部２１ａ，２２ａの先端間を通りリップ部２１ａ，２２ａの下方へ上方より進入可能な非係合姿勢、およびリップ部２１ａ，２２ａの下面に係合する係合姿勢に相互に姿勢変更可能に治具本体２に設けられる。【選択図】        図１
2015229572.tif 000002
【特許請求の範囲】
【請求項１】
屋内側および屋外側の表層部のうちの少なくとも片方の表層部の上端に壁厚さ方向の内側に折れ曲がるリップ部が形成された外壁材を吊り上げるのに用いられる外壁材吊上げ用治具であって、
前記外壁材の上端面に上から被せられて接する治具本体と、この治具本体の上面に設けられ吊索が掛けられる吊索掛け部材と、前記外壁材の前記リップ部の先端側で前記リップ部の下方へ上方より進入可能な非係合姿勢および前記リップ部の下面に係合する係合姿勢に相互に姿勢変更可能に前記治具本体に設けられた係合爪とを有することを特徴とする外壁材吊上げ用治具。
【請求項２】
請求項１に記載の外壁材吊上げ用治具において、前記係合爪に、前記治具本体に設けられた長孔である貫通孔に上下方向に進退可能かつ回転自在に嵌合する爪軸と、長手方向の寸法が前記貫通孔の幅よりも長く、短手方向の寸法が前記貫通孔の幅以下である回転拘束部とを設け、この回転拘束部を、前記係合爪が前記係合姿勢にあり前記リップ部の下面に係合した状態において前記貫通孔に嵌り込むように配置した外壁材吊上げ用治具。
【請求項３】
請求項１または請求項２に記載の外壁材吊上げ用治具において、前記外壁材は、屋内側および屋外側の表層部の両方の上端に壁厚さ方向の内側に折れ曲がったリップ部が形成されており、前記係合爪は、前記係合姿勢にあるとき前記両表層部のリップ部の下面に係合可能である外壁材吊上げ用治具。
【請求項４】
請求項１ないし請求項３のいずれか１項に記載の外壁材吊上げ用治具において、前記外壁材は、前記屋内側および屋外側の表層部をそれぞれ構成する２枚の金属板の間に断熱材を介在させた外壁パネルであり、前記両金属板の上端に壁厚さ方向の内側に折れ曲がるリップ部が形成された外壁材吊上げ用治具。
【請求項５】
請求項１ないし請求項４のいずれか１項に記載の外壁材吊上げ用治具において、前記係合爪は、前記非係合姿勢から前記係合姿勢へ姿勢変更するときに先行する箇所の下面が、姿勢変更動作方向の先端側へ行くほど上位となる傾斜面である外壁材吊上げ用治具。
【請求項６】
請求項１ないし請求項５のいずれか１項に記載の外壁材吊上げ用治具において、前記治具本体における壁厚さ方向の両側に、この治具本体を前記外壁材の上端面に上から被せた状態で前記外壁材の上端における屋内側および屋外側の側面に当接する垂下部を設けた外壁材吊上げ用治具。
【請求項７】
請求項１ないし請求項６のいずれか１項に記載の外壁材吊上げ用治具において、前記吊索掛け部材を挟む両側の２箇所に前記係合爪が配置された外壁材吊上げ用治具。
【発明の詳細な説明】
【技術分野】
【０００１】
この発明は、外壁材を建築現場の仮置き場から建物躯体まで吊り上げて移動させるとき等に用いられる外壁材吊上げ用治具に関する。
【背景技術】
【０００２】
物流施設、コンビニエンスストア等の建物の外壁に用いられる外壁材として、図１０のように、屋外側および屋内側の２枚の金属板２１，２２で断熱材２３を挟み込んだ外壁パネルが多く用いられる。この種の外壁パネルからなる外壁材２０は大きくて重いため、仮置き場から建物躯体の近傍までクレーン等で吊り上げて移動させることが多い。その場合、一般的には、図１１のように、金属板２１，２２の建て込み時に上側となる縁部に孔Ｈを開けてボルト２５を挿通し、このボルト２５に掛けたワイヤ２７にクレーンのフック２８を引っ掛けて、外壁材２０を吊り上げている。
【０００３】
図１２のように裏面にリップ付き溝４０が設けられた外壁パネルの搬送に関して、前記リップ付き溝４０を利用して外壁パネルを吊り上げるためのパネル吊り治具が、特許文献１に提案されている。このパネル吊り治具４１は、吊り紐に設けられたリングと接続可能な爪軸４２と、この爪軸４２に対して回動可能な係合片４３とを有し、外壁パネル２０のリップ付き溝４０に係合片４３を挿入し、その係合片４３を回動してリップ付き溝４０のリップ部４０ａ，４０ｂに係合させることで、外壁パネル２０に取り付ける。パネル吊り治具４１が取り付けられた外壁パネル２０は、クレーン等により裏面が上を向く水平姿勢で吊り上げられる。
【先行技術文献】
【特許文献】
【０００４】
【特許文献１】特開２０００−１１８９４５号公報
【特許文献２】特開平０９−２３５０８７号公報
【特許文献３】特開２０１３−０８７５９５号公報
【特許文献４】特許４８０１３６６号
【特許文献５】特開２００４−１０８０８０号公報
【発明の概要】
【発明が解決しようとする課題】
【０００５】
外壁材２０にボルト２５を挿通して吊り上げる従来の方法では、ボルト挿通用の孔Ｈにかかる荷重が金属板２１，２２の強度限界を超えないように十分な安全率を持たせるため、通常の吊上げ作業で金属板２１，２２の孔Ｈの周辺部が変形することはない。また、孔Ｈが開けられる金属板２１，２２の縁部は、建て込み状態では上側の外壁材２０の金属板２１，２２の下端部が被せられ外部に露出しないため、通常では孔Ｈから水が浸入する等の不都合は生じない。
【０００６】
しかし、何らかの事情で外壁材２０に大きな力が加わった場合、金属板２１，２２の孔Ｈの周辺部が変形する可能性があり、また台風等の強い風雨では孔Ｈから水が浸入する可能性も皆無とは言えない。そして何よりも、完成品である外壁材２０に一種の傷である孔Ｈを開けるのは好ましくない。しかも、外壁材２０に孔Ｈを開けてボルト２５等を取り付けるという工程を現場で行うのは、現場作業の負担増となる。
【０００７】
特許文献１に記載のパネル吊り治具３１を外壁材２０のリップ付き縁部に取り付ければ、外壁材２０に孔Ｈを開けることなく外壁材２０を吊り上げることができる。しかし、特許文献１に記載のパネル吊り治具３１を用いた場合、リップ部２１ａ，２２ａの下面に係合片３３が係合しただけの状態で外壁材２０を吊り上げるため、係合片３３の係合状態が安定せず局部当たり状態となり、外壁材２０の重量でリップ部２１ａ，２２ａの先端側が上側に変形する可能性がある。
【０００８】
この発明の目的は、外壁材が有するリップ部を利用することで、外壁材に孔を開けずに取り付けることができ、かつ不測にリップ部を変形させずに外壁材を吊り上げることを可能にする外壁材吊上げ用治具を提供することである。
【課題を解決するための手段】
【０００９】
この発明の外壁材吊上げ用治具は、屋内側および屋外側の表層部のうちの少なくとも片方の表層部の上端に壁厚さ方向の内側に折れ曲がるリップ部が形成された外壁材を吊り上げるのに用いられ、前記外壁材の上端面に上から被せられて接する治具本体と、この治具本体の上面に設けられ吊索が掛けられる吊索掛け部材と、前記外壁材の前記リップ部の先端側で前記リップ部の下方へ上方より進入可能な非係合姿勢および前記リップ部の下面に係合する係合姿勢に相互に姿勢変更可能に前記治具本体に設けられた係合爪とを有することを特徴とする。
【００１０】
この構成の外壁材吊上げ用治具は、非係合姿勢の係合爪を外壁材の屋内側および屋外側の表層部間に上方から挿入させた後、係合爪を係合姿勢に姿勢変更して係合爪を外壁材のリップ部の下面に係合させることで、治具本体と係合爪とでリップ部を上下から挟み込む。これにより、外壁材に孔を開けることなく、外壁材吊上げ用治具を外壁材の上端に取り付けることができる。
【００１１】
外壁材に取り付けた外壁材吊上げ用治具の吊索掛け部材に引っ掛けた吊索をクレーン等により引き上げることで、外壁材を吊り上げる。その際、クレーン等の引き上げ力が、外壁材吊上げ用治具の係合爪から外壁材のリップ部に伝わって、外壁材が吊り上げられる。前記のように、治具本体と係合爪とでリップ部を上下から挟み込んでいるため、吊上げ状態が安定してリップ部に無理な力が作用せず、リップ部の先端側が上側に変形することがない。
【００１２】
この発明において、前記係合爪に、前記治具本体に設けられた長孔である貫通孔に上下方向に進退可能かつ回転自在に嵌合する爪軸と、長手方向の寸法が前記貫通孔の幅よりも長く、短手方向の寸法が前記貫通孔の幅以下である回転拘束部とを設け、この回転拘束部を、前記係合爪が前記係合姿勢にあり前記リップ部の下面に係合した状態において前記貫通孔に嵌り込むように配置すると良い。
【００１３】
この構成によると、外壁材吊上げ用治具を外壁材に取り付けとき、すなわち治具本体と係合爪とでリップ部を上下から挟み込んだ状態にあるとき、係合爪の回転拘束部が治具本体の貫通孔に嵌り込む。これにより、係合爪の回転が拘束されるため、外壁材を吊り上げているときに係合爪がリップ部から外れることを防止できる。
【００１４】
この発明において、前記外壁材が、屋内側および屋外側の表層部の両方の上端に壁厚さ方向の内側に折れ曲がったリップ部が形成されている場合、前記係合爪は、前記係合姿勢にあるとき前記両表層部のリップ部の下面に係合可能であるのが良い。
この構成であると、屋内側および屋外側の両表層部のリップ部の下面に係合爪が係合するため、係合爪から外壁材へ伝わる力の壁厚さ方向のバランスが良く、外壁材を安定して吊り上げることができる。
【００１５】
この発明において、前記外壁材は、前記屋内側および屋外側の表層部をそれぞれ構成する２枚の金属板の間に断熱材を介在させた外壁パネルであり、前記両金属板の上端に壁厚さ方向の内側に折れ曲がるリップ部が形成された外壁パネルであっても良い。
このような外壁パネルからなる外壁材は大きくて重いが、この発明の外壁材吊上げ用治具を用いることで、孔を開けずに吊り上げることができる。
【００１６】
この発明において、前記係合爪は、前記非係合姿勢から前記係合姿勢へ姿勢変更するときに先行する箇所の下面が、姿勢変更動作方向の先端側へ行くほど上位となる傾斜面であるのが良い。
屋内側および屋外側の表層部の間に断熱材が充填されている外壁材の場合、係合爪を非係合姿勢から係合姿勢へ姿勢変更するとき、係合爪が断熱材を押し退けることとなる。係合爪の前記箇所が傾斜面になっていると、断熱材を押し退けるときの抵抗力が小さく、係合爪の姿勢変更操作を行い易い。
【００１７】
この発明において、前記治具本体における壁厚さ方向の両側に、この治具本体を前記外壁材の上端面に上から被せた場合に前記外壁材の上端における屋内側および屋外側の側面に当接する垂下部を設けると良い。
垂下部が設けられていると、治具本体を外壁材の上端面に上から被せた場合に、治具本体に対して外壁材が壁厚さ方向に移動するのを防止できる。そのため、外壁材をより一層安定して吊り上げることができる。
【００１８】
この発明において、前記吊索掛け部材を挟む両側の２箇所に前記係合爪が配置されていても良い。
この場合、２つの係合爪の間に吊索掛け部材が位置するため、壁面方向の吊上げバランスが良い。また、係合爪を２箇所に配置することで、係合爪の数が１つである場合と比較して、係合爪と外壁材のリップ部との接触面積を広くすることができ、リップ部にかかる単位面積当たりの荷重を低減してリップ部に過大な負荷がかからないようにできる。
【発明の効果】
【００１９】
この発明の外壁材吊上げ用治具は、屋内側および屋外側の表層部のうちの少なくとも片方の表層部の上端に壁厚さ方向の内側に折れ曲がるリップ部が形成された外壁材を吊り上げるのに用いられる外壁材吊上げ用治具であって、前記外壁材の上端面に上から被せられて接する治具本体と、この治具本体の上面に設けられ吊索が掛けられる吊索掛け部材と、前記外壁材の前記リップ部の先端側で前記リップ部の下方へ上方より進入可能な非係合姿勢および前記リップ部の下面に係合する係合姿勢に相互に姿勢変更可能に前記治具本体に設けられた係合爪とを有するため、外壁材が有するリップ部を利用することで、外壁材に孔を開けずに取り付けることができ、かつ不測にリップ部を変形させずに外壁材を吊り上げることが可能である。
【図面の簡単な説明】
【００２０】
【図１】（Ａ）はこの発明の一実施形態にかかる外壁材吊上げ用治具の正面図、（Ｂ）はその平面図、（Ｃ）はその一部破断側面図である。
【図２】（Ａ）は同外壁材吊上げ用治具の異なる状態の正面図、（Ｂ）はその平面図、（Ｃ）はその一部破断側面図である。
【図３】（Ａ）は同外壁材吊上げ用治具の係合爪の底面図、（Ｂ）はそのIIIＢ矢視図、（Ｃ）はそのIIIＣ矢視図である。
【図４】同外壁材吊上げ用治具の治具本体の貫通孔と係合爪との関係を示す一部破断平面図である。
【図５】外壁材に同外壁材吊上げ用治具を取り付ける手順を示す説明図である。
【図６】外壁材から同外壁材吊上げ用治具を取り外す手順を示す説明図である。
【図７】視認手段の一例を示す外壁材吊上げ用治具の一部破断側面図である。
【図８】同外壁材吊上げ用治具を取り付けた外壁材を吊り上げるための準備過程を示す説明図である。
【図９】同外壁材吊上げ用治具を取り付けた外壁材を吊り上げる過程を示す説明図である。
【図１０】外壁材の上端部の断面図である。
【図１１】従来の外壁材吊上げ方法を示す説明図である。
【図１２】リップ付き溝が設けられた外壁パネル、およびその外壁パネルを吊り上げるためのパネル吊り治具の説明図である。
【発明を実施するための形態】
【００２１】
この発明の一実施形態を図面と共に説明する。
図１はこの発明の一実施形態にかかる外壁材吊上げ用治具の正面図、平面図、および一部破断側面図、図２は同外壁材吊上げ用治具の異なる状態を示す正面図、平面図、および一部破断側面図である。この外壁材吊上げ用治具１は、治具本体２と、この治具本体の上面に設けられた吊索掛け部材３と、治具本体２の前記吊索掛け部材３を挟む箇所に設けられた一対の係合爪４とからなる。以下の説明では、一対の係合爪４の並び方向を壁面方向、この壁面方向と直交する方向を壁厚さ方向とする。
【００２２】
この外壁材吊上げ用治具１の取付け対象となる外壁材２０は、例えば図１０に示すように、屋内側および屋外側の表層部をそれぞれ構成する２枚の金属板２１，２２で断熱材２３を挟み込んだ外壁パネルである。金属板２１，２２は、メッキ鋼板、アルミニウム板等である。断熱材２３は、ロックウール、発泡スチロール、ウレタン等である。金属板２１，２２の上端部は、壁厚さ方向の内側に折れ曲げられてリップ部２１ａ，２２ａとなっている。２つのリップ部２１ａ，２２ａ間には、壁面方向に延びる溝部２４が形成されている。
【００２３】
図１、図２において、外壁材吊上げ用治具１の治具本体２は、壁面方向に長く壁厚さ方向に短い平面形状が長方形の板状の主部２ａと、この主部２ａの壁厚さ方向の両端から垂れ下がった垂下部２ｂとからなる下向き溝形をしている。主部２ａにおける壁面方向の両端付近には、係合爪４を案内する貫通孔５が設けられている。一対の垂下部２ｂの内側面間の距離は、この外壁材吊上げ治具１が取り付けられる外壁材２０の上端部の厚さと同じか、または若干小さく設定されている。垂下部２ｂの下端内側面は斜めに面取り６がされている。
【００２４】
吊索掛け部材３は、リング中心が壁面方向と平行なリング状の部材であって、その基部３ａで、治具本体２の上面における壁面方向の中央部に溶接等により固定されている。この例では、吊索掛け部材３がリング状とされているが、クレーンの吊索（図示せず）を掛けることが可能であれば他の形状であっても良い。
【００２５】
係合爪４は、治具本体２の主部２ａの下方に配置された爪本体１０から爪軸１１が上方に延びており、この爪軸１１が治具本体２の貫通孔５に回転自在かつ上下に進退自在に挿通されている。これにより、爪本体１０は、治具本体２に対して上下の位置変更、並びに図１の係合姿勢と図２の非係合姿勢とに鉛直軸回りの姿勢変更が可能である。係合姿勢は、爪本体１０の長手方向が壁面方向を向く姿勢であり、非係合姿勢は、爪本体１０の長手方向が壁厚さ方向を向く姿勢である。
【００２６】
図３に示すように、爪本体１０は、平面形状が略長方形の板状であって、その中央部に前記爪軸１１が設けられている。爪本体１０の４つの角部のうちの、非係合姿勢から係合姿勢へ姿勢変更するときに先行する２つの角部１２は、外壁材２０の金属板２１，２２との干渉を避けるために円弧状に切り欠かれている。この例では、非係合姿勢から係合姿勢への姿勢変更方向(矢印Ａ方向)は、下から見て左回転、上から見て右回転である。また、爪本体１０の底面における、非係合姿勢から係合姿勢へ姿勢変更するときに先行する箇所（図３（Ａ）にクロスハッチングで示す）は、姿勢変更動作方向の先端側へ行くほど上位となる傾斜面１３になっている。
【００２７】
図１、図２において、係合爪４の爪軸１１は、その長さ方向の中間部にねじ部１１ａが形成されており、このねじ部１１ａに係合爪固定用のナット１５が螺着される。爪軸１１の上端部は、専用スパナ等の締付工具を係合させるための角軸部１１ｂになっている。爪軸１１における前記角軸部１１ｂの近傍に、ナット１５の抜け止めのためにスナップリング１６が嵌められている。
【００２８】
爪軸１１の基部は回転拘束部１７となっている。この回転拘束部１７は、外壁材２０に外壁材吊上げ用治具１を取り付けた状態で治具本体２の貫通孔５に係合して係合爪４の回転を拘束する。
図４に示すように、治具本体２の貫通孔５は、爪軸１１が挿通される部分である円形孔部５ａと、この円形孔部５ａと交差する直線孔部５ｂとからなり、全体的に壁厚さ方向に長い長孔となっている。図の例では、貫通孔５は壁厚さ方向に長い長孔であるが、長孔の向きは限定しない。回転拘束部１７は、長手方向の寸法が貫通孔５の幅よりも長く、短手方向の寸法が貫通孔５の幅以下の非円形の断面形状である。具体的には、爪軸１１の外周における互いに円周方向１８０°の位置にある２箇所に直方体形状の突起部１７ａが設けられている。図４（Ａ）のように、係合爪４が非係合位置にあるときは回転拘束部１７が貫通孔５に係合することができないが、図４（Ｂ）のように、係合爪４が係合位置にあるとき回転拘束部１７が貫通孔５に係合することが可能となる。
【００２９】
この外壁材吊上げ用治具１を外壁材２０に取り付ける手順を、図５と共に説明する。ここでは、起立させた外壁材２０の上端に外壁材吊上げ用治具１を取り付ける場合を例にとる。
まず、同図（Ａ）のように、外壁材２０の上端面に、係合爪４が非係合姿勢となっている外壁材吊上げ用治具１を置き、各爪軸１１の角軸部１１ｂにそれぞれ締付用工具３０を係合させる。このとき、２つの係合爪４を、外壁材２０の溝部２４に位置させておく。この状態で、締付用工具３０を押えながら爪軸１１を下方に押し付けて、係合爪４の爪本体１０を断熱材２３に押し込む。同図（Ａ）に示す外壁材吊上げ用治具１の状態は、締付用工具３０を除けば、図２と同じである。
【００３０】
次に、同図（Ｂ）のように、爪軸１１を下方に押し付けたまま、締付用工具３０を上から見て右回りに回して、係合爪４を非係合姿勢から係合姿勢へ姿勢変更する。このとき、爪本体１０が外壁材２０のリップ部２１ａ，２２ａの下側に入り込んだことを確認する。係合爪４を姿勢変更するとき爪本体１０が断熱材２３を押し退けることにより断熱材２３からの抵抗力を受けるが、爪本体１０の底面における姿勢変更時に先行する箇所が姿勢変更動作方向の先端側へ行くほど上位となる傾斜面１３(図３)になっているため、前記抵抗力が小さくて操作が楽である。
【００３１】
次に、同図（Ｃ）のように、治具本体２を下げて外壁材２０の上端に接するように被せる。これにより、垂下部２ｂが外壁材２０の屋内側および屋外側の側面に当接し、治具本体２に対して外壁材２０が壁厚さ方向に移動するのを拘束する。また、この状態では、図４（Ｂ）のように、係合爪４の回転拘束部１７が貫通孔５に嵌り込むことで、爪軸１１が回らなくなる。つまり、係合爪４の係合姿勢から非係合姿勢への姿勢変更が抑止される。
【００３２】
そして、図５（Ｄ）のように、ナット１５を締めて、係合爪４が上下に動かないように固定する。これにより、外壁材吊上げ用治具１の外壁材２０への取付けが完了し、図１の状態となる。つまり、従来のように外壁材２０に孔を開けることなく、外壁材吊上げ用治具１を外壁材２０に取り付けることができる。この取付け状態では、治具本体２と係合爪４とでリップ部２１ａ，２２ａを上下から挟み込んでいる。
【００３３】
なお、図５（Ｃ）の過程で回転拘束部１７が貫通孔５に嵌り込んだことを目視で確認できる視認手段が設けられていると、外壁材吊上げ用治具１が不適切に取り付けられることを防止できる。視認手段としては、例えば図７に示すように、爪軸１１における回転拘束部１７が貫通孔５に嵌り込んだ場合にだけ治具本体２の上方から見える部分に、他の部分と区別できる塗料で着色した着色部(クロスハッチングの部分)１８を設ける等の方策を採用できる。または、回転拘束部１７が貫通孔５に嵌り込んでいると、図５（Ｄ）のようにナット１５を締め付けたときに、ナット１５よりも上側に着色部が見えるよう着色部を設けてもよい(図示せず)。
【００３４】
外壁材２０から外壁材吊上げ用治具１を取り外す手順を、図６と共に説明する。ここでは、起立させた外壁材２０の上端から外壁材吊上げ用治具１を取り外す場合を例にとる。
まず、同図（Ａ）のようにナット１５を緩めた後、同図（Ｂ）のように治具本体２を持ち上げて外壁材２０の上端面から離す。これにより、回転拘束部１７が貫通孔５から外れて、係合爪４の爪軸１１が回転可能となる。
【００３５】
次に、同図（Ｃ）のように、各爪軸１１の角軸部１１ｂに係合させた締付用工具３０を上から見て左回りに回して、係合爪４を係合姿勢から非係合姿勢にする。これにより、係合爪４の爪本体１０が外壁材２０のリップ部２１ａ，２２ａから外れる。この状態で外壁材吊上げ用治具１を持ち上げることで、同図（Ｄ）のように、外壁材吊上げ用治具１が外壁材２０から外れる。同図（Ｄ）に示す外壁材吊上げ用治具１の状態は、締付用工具３０を除けば、図２と同じである。
【００３６】
実際に建設現場の仮置き場から建物躯体まで外壁材２０を吊り上げて移動させる場合には、図８のように、仮置き場に積み重ねられている複数の外壁材２０に対し、建て込み状態で上側となる端部に外壁材吊上げ用治具１を取り付ける。外壁材２０の大きさにもよるが、例えば図９のように、外壁材２０の壁面方向の２箇所に外壁材吊上げ用治具１を取り付ける。そして、外壁材吊上げ用治具１の吊索掛け部材３にクレーン等の吊索３１を引っ掛けて、上から順に外壁材２０を吊り上げる。
【００３７】
外壁材２０を吊り上げる際、クレーン等の引き上げ力が、外壁材吊上げ用治具１の係合爪４から外壁材２０のリップ部２１ａ，２２ａに伝わる。このとき、治具本体２と係合爪４の爪本体１０とでリップ部２１ａ，２２ａを上下から挟み込んでいるため、吊上げ状態が安定してリップ部２１ａ，２２ａに無理な力が作用せず、リップ部２１ａ，２２ａの先端側が上側に変形することがない。
【００３８】
屋内側および屋外側の両方のリップ部２１ａ，２２ａの下面に係合爪４が係合するため、係合爪４から外壁材２０へ伝わる力の壁厚さ方向のバランスが良く、外壁材２０を安定して吊り上げることができる。また、吊索掛け部材３を挟む両側の２箇所に係合爪４が配置されていているため、壁面方向の吊上げバランスが良い。加えて、係合爪４を２つ設けたため、係合爪４の数が１つである場合と比較して、係合爪４と外壁材２０のリップ部２１ａ，２２ａとの接触面積を広くすることができ、リップ部にかかる単位面積当たりの荷重を低減してリップ部に過大な負荷がかからないようにできる。
【符号の説明】
【００３９】
１…外壁材吊上げ用治具
２…治具本体
２ｂ…垂下部
３…吊索掛け部材
４…係合爪
５…貫通孔
１１…爪軸
１７…回転拘束部
２０…外壁材
２１，２２…金属板
２１ａ，２２ａ…リップ部
２３…断熱材
【図１】
2015229572.tif 000003
【図２】
2015229572.tif 000004
【図３】
2015229572.tif 000005
【図４】
2015229572.tif 000006
【図５】
2015229572.tif 000007
【図６】
2015229572.tif 000008
【図７】
2015229572.tif 000009
【図８】
2015229572.tif 000010
【図９】
2015229572.tif 000011
【図１０】
2015229572.tif 000012
【図１１】
2015229572.tif 000013
【図１２】
2015229572.tif 000014